(57)【要約】【課題】簡易な構成でユーザを温めることができる安価な携帯通信端末を提供する。【解決手段】携帯通信端末１は、第１の筐体と第２の筐体とを折り畳み可能であり、発熱部２が設けられた携帯通信端末であって、発熱の可否を示す設定を格納する記憶部３と、携帯通信端末１が折り畳まれている状態か否かを検出する状態検出部４と、発熱部２に電力を供給する発熱制御部５とを備え、発熱制御部は、記憶部３に発熱を許可する設定が格納されている場合に、状態検出部４が携帯通信端末１が折り畳まれている状態であることを検出しているときに発熱部２に電力を供給するように構成されている。【選択図】図４
2010251924.tif 000002
【特許請求の範囲】
【請求項１】
第１の筐体と第２の筐体とを折り畳み可能であり、発熱部が設けられた携帯通信端末であって、
発熱の可否を示す設定を格納する記憶部と、
前記携帯通信端末が折り畳まれている状態か否かを検出する状態検出部と、
前記発熱部に電力を供給する発熱制御部とを備え、
前記発熱制御部は、前記記憶部に発熱を許可する設定が格納されている場合に、前記状態検出部が前記携帯通信端末が折り畳まれている状態であることを検出しているときに前記発熱部に電力を供給する
ことを特徴とする携帯通信端末。
【請求項２】
状態検出部は、携帯通信端末に人体が接触しているか否かを検出し、
発熱制御部は、前記状態検出部が人体の接触を検出するときに発熱部に電力を供給する
請求項１記載の携帯通信端末。
【請求項３】
発熱制御部は、
発熱部の温度を測定する機能を含み、
測定した前記発熱部の温度が、記憶部に格納されている異常温度を示す設定範囲に含まれる場合には、前記発熱部に電力の供給を停止する
請求項１または請求項２記載の携帯通信端末。
【請求項４】
折り畳み時に露出する第１の筐体の一部および第２の筐体の一部に発熱部が設けられている
請求項１から請求項３のうちのいずれか１項に記載の携帯通信端末。
【請求項５】
発熱部と回路基板または表示部との間に断熱材が設けられている
請求項１から請求項４のうちのいずれか１項に記載の携帯通信端末。
【発明の詳細な説明】
【技術分野】
【０００１】
本発明は、発熱機能を有する携帯通信端末に関する。
【背景技術】
【０００２】
冬季の屋外では、手や指先が冷え易く、手や指先を温めるために懐炉等を持ち歩くと便利である。しかし、朝昼晩で気温差が大きく、また、天候によっても気温は大きく異なるため、懐炉等を準備するか否かを、気象情報を事前に確認する等によって判断する必要があった。
【０００３】
特許文献１には、気温が低い場合などに発熱し、暖房として機能する携帯端末が記載されている。特許文献１に記載されている携帯端末は、発熱機構を有し、設定条件に従って発熱することで、ユーザの手を温め、指が冷たくなって携帯端末を操作しにくくなることを防ぐ。
【先行技術文献】
【特許文献】
【０００４】
【特許文献１】特開２００４−１８０１２０号公報（段落０００６、段落００１８−００１９）
【発明の概要】
【発明が解決しようとする課題】
【０００５】
しかし、特許文献１に記載された携帯端末では、ユーザの手や指を温めるために気温や気象状態を条件にしているので、実現するためには気温や気象状態を取得する機能を組み込む必要があり、携帯端末が高価になる。
【０００６】
そこで、本発明は、簡易な構成でユーザを温めることができる安価な携帯通信端末を提供することを目的とする。
【課題を解決するための手段】
【０００７】
本発明による携帯通信端末は、第１の筐体と第２の筐体とを折り畳み可能であり、発熱部が設けられた携帯通信端末であって、発熱の可否を示す設定を格納する記憶部と、携帯通信端末が折り畳まれている状態か否かを検出する状態検出部と、発熱部に電力を供給する発熱制御部とを備え、発熱制御部は、記憶部に発熱を許可する設定が格納されている場合に、状態検出部が携帯通信端末が折り畳まれている状態であることを検出しているときに発熱部に電力を供給することを特徴とする。
【発明の効果】
【０００８】
本発明によれば、簡易な構成の携帯通信端末によって、懐炉のようにユーザを温めることができる。
【図面の簡単な説明】
【０００９】
【図１】本発明による携帯通信端末の構成を示すブロック図である。
【図２】図１に示された携帯通信端末を示す斜視図である。
【図３】図１に示された携帯通信端末の動作を示すフローチャートである。
【図４】本発明による携帯通信端末の主要部を示すブロック図である。
【発明を実施するための形態】
【００１０】
図１は、本発明による携帯通信端末の構成を示すブロック図である。図２は、図１に示された携帯通信端末を示す斜視図である。図１および図２を参照して、本発明による携帯通信端末の具体的な実施形態を説明する。本実施形態では、携帯通信端末として、上部筐体１２１と下部筐体１２２とを折り畳むことができる折り畳み型の携帯通信端末を例にする。
【００１１】
携帯通信端末１００は、無線通信部１０１、放送受信部１０２、カメラ部１０３、音声処理部１０４、マイクロフォン１０５、スピーカ１０６、表示部１０７、操作部１０８、状態検出部１０９、発熱制御部１１０、発熱部１１１、スピーカ部１１２、記憶部１１３、制御部１１４、センサ１１５およびバッテリ１１６を含む。
【００１２】
無線通信部１０１は、アンテナを介して無線基地局装置（図示せず）との間で情報の送受信を行う。放送受信部１０２は、地上局または衛星等の放送局から送信された放送信号を、アンテナを介して受信し、受信した信号を復調して得られる映像データ、音声データおよび情報データ等の放送信号の処理を行う。カメラ部１０３は、画像情報の取得を行う。
【００１３】
音声処理部１０４は、マイクロフォン１０５やスピーカ１０６を介して入出力される音声信号の処理を行う。表示部１０７は、画像、図形、文字および記号等の情報を液晶ディスプレイ（ＬＣＤ）に表示出力する。操作部１０８は、テンキー、スクロールキー、十字キーおよび決定キー等から構成され、ユーザによって携帯通信端末１００に対する入力操作が行われる。
【００１４】
状態検出部１０９は、センサ１１５や押下スイッチ等を用いて、上部筐体１２１と下部筐体１２２との開閉変位や携帯通信端末１００への人体の接触を検出する。状態検出部１０９による検出結果を基に、制御部１１４は、携帯通信端末１００の開閉状態やユーザによる保持状態を判断する。発熱制御部１１０は、バッテリ１１６から発熱部１１１への電力供給を制御する。発熱部１１１の内部に含まれる発熱素子は抵抗等であって、電力が供給されて電流が流れることにより発熱する。また、発熱制御部１１０は、サーミスタを利用する等の既知の手段を用いて、発熱部１１１の温度を測定する。
【００１５】
スピーカ部１１２は、楽音や報知音等の鳴音出力を行う。記憶部１１３は、電話帳情報、送受信電子メール情報、発着呼情報、コンテンツ情報、アプリケーションプログラム情報、撮影画像、および携帯通信端末１００における設定データ等を格納する。制御部１１４は、電話機能、電子メール機能、インターネット（Ｗｅｂ）接続機能、カメラ機能、テレビ受信機能、コンテンツ再生機能、および携帯通信端末１００が有するその他の機能や各部の制御を行う。
【００１６】
図３は、図１に示された携帯通信端末の動作を示すフローチャートである。図３を参照して、携帯通信端末１００における発熱部１１１に電力を供給する処理を説明する。
【００１７】
制御部１１４は、状態検出部１０９による上部筐体１２１と下部筐体１２２との開閉変位の検出結果を基に、携帯通信端末１００が閉状態であるか否か、すなわち、折り畳まれている状態であるか否かを判断する（ステップＳ１０１）。携帯通信端末１００が閉状態ではない場合には、ステップＳ１０１に戻る。携帯通信端末１００が閉状態である場合には、制御部１１４は、状態検出部１０９による携帯通信端末１００への人体の接触状態の検出結果を基に、携帯通信端末１００がユーザに保持されている状態か否かを判断する（ステップＳ１０２）。
【００１８】
携帯通信端末１００がユーザに保持されている状態であると判断した場合には、制御部１１４は、記憶部１１３に格納されている設定を確認して、発熱モードが設定されているか否かを判断する（ステップＳ１０３）。なお、発熱部１１１で発熱を行うか否かを示す発熱モードの設定は、ユーザからの操作部１０８を介した入力操作または初期設定等を基に、事前に記憶部１１３に格納されている。ステップＳ１０２において携帯通信端末１００がユーザに保持されていない場合、または、ステップＳ１０３において発熱モードが設定されていない場合には、処理を終了する。
【００１９】
ステップＳ１０３において、発熱モードが設定されている場合には、制御部１１４は、発熱モードが設定されている旨を発熱制御部１１０に伝え、発熱制御部１１０は、バッテリ１１６から発熱部１１１に所定の電力を供給する（ステップＳ１０４）。発熱部１１１の発熱素子は、電力が供給されると発熱する。発熱制御部１１０は、発熱部１１１の温度を計測し、計測した温度が異常温度を示す設定範囲に含まれるか否かを確認する（ステップＳ１０５）。異常温度を示す設定範囲は、事前に記憶部１１３に格納されている。発熱部１１１の温度が異常温度を示す設定範囲に含まれる場合には、発熱制御部１１０は、発熱部１１１に電力の供給を停止し、処理を終了する。発熱部１１１の温度が異常温度を示す設定範囲に含まれない場合には、ステップＳ１０２における処理に戻る。
【００２０】
なお、携帯通信端末１００が閉状態であるか否かを判断する処理（ステップＳ１０１）、保持状態であるか否かを判断する処理（ステップＳ１０２）、および発熱モードが設定されているか否かを判断する処理（ステップＳ１０３）の順序を入れ替えてもよい。
【００２１】
このような携帯通信端末は、閉じられた状態でしか発熱しないので、通信中に発熱して携帯通信端末に悪影響を与えることを防止できる。また、携帯通信端末は、ユーザに保持されている状態でしか発熱しないので、ユーザが望まない状況、または暖機能として適切ではない使用態様における発熱を防止できる。さらに、異常温度の発熱を監視することができる。
【００２２】
また、図２に示された携帯通信端末１００では、発熱部１１１を下部筐体１２２の裏面に設けたが、携帯端末１００を折り畳んだときにユーザが接触可能な位置、すなわち、筐体の表面の一部（例えば、筐体の側面または、折り畳んだ場合の外面）であれば、上部筐体１２１に設けてもよいし、上部筐体１２１および下部筐体１２２の両方に設けてもよい。さらに、携帯通信端末１００の回路基板（図示せず）に過度の熱が伝導しない場所であれば、複数個の発熱部１１１を設けてもよい。このような携帯通信端末では、回路基板に対する熱の影響を考慮しながら発熱部の設置場所や個数を増やすことで、ユーザに対して、より暖かさを提供することができる。特に、上部筐体１２１および下部筐体１２２の両方に発熱部１１１を設けた場合には、折り畳んだ携帯通信端末の両面で、ユーザの手を温めることができる。さらに、ユーザの手を温めるために用いるだけでなく、手以外の部位を温める用途に用いることもできる。
【００２３】
また、上部筐体１２１に発熱部１１１を設ける場合には、発熱部１１１と表示部１０７のＬＣＤとの間に、発熱部１１１が発する熱をＬＣＤに伝えない部材（例えば、断熱材）を設けてもよい。下部筐体１２２に発熱部１１１を設ける場合には、発熱部１１１と回路基板との間に、発熱部１１１が発する熱を回路基板に伝えない部材（例えば、断熱材）を設けてもよい。このような携帯通信端末では、発熱部１１１における発熱がＬＣＤや回路基板に与える影響を低減するので、表示機能や通信機能の劣化を防止できる。
【００２４】
図４は、本発明による携帯通信端末の主要部を示すブロック図である。図４に示すように、携帯通信端末１（例えば、図１に示す携帯通信端末１００に相当）は、第１の筐体（例えば、図２に示す上部筐体１２１に相当）と第２の筐体（例えば、図２に示す下部筐体１２２に相当）とを折り畳み可能であり、発熱部２（例えば、図１に示す発熱部１１１に相当）が設けられた携帯通信端末であって、発熱の可否を示す設定を格納する記憶部３（例えば、図１に示す記憶部１１３に相当）と、携帯通信端末１が折り畳まれている状態か否かを検出する状態検出部４（例えば、図１に示す状態検出部１０９に相当）と、発熱部２に電力を供給する発熱制御部５（例えば、図１に示す発熱制御部１１０に相当）とを備え、発熱制御部は、記憶部３に発熱を許可する設定が格納されている場合に、状態検出部４が携帯通信端末１が折り畳まれている状態であることを検出しているときに発熱部２に電力を供給するように構成されている。このような携帯通信端末では、通信端末として使用されていない折り畳まれた状態である場合に発熱制御部５が発熱部２を発熱させるので、携帯通信端末１の通信端末としての機能を劣化させずにユーザを温めることができる。また、折り畳まれている状態か否かを検出する状態検出部４を組み込むことは容易であるので、ユーザを温める携帯通信端末を簡易に実現することができる。
【００２５】
また、上記の実施形態では、以下の（１）〜（４）に示すような携帯通信端末も開示されている。
【００２６】
（１）状態検出部は、携帯通信端末に人体が接触しているか否かを検出し（例えば、状態検出部１０９が、センサ１１５や押下スイッチ等の既知の手段を用いて、携帯通信端末１００への人体の接触状態を検出することで実現される。）、発熱制御部は、状態検出部が人体の接触を検出するときに発熱部に電力を供給する（例えば、ステップＳ１０２の処理で実現される。）携帯通信端末。このように構成された携帯通信端末は、ユーザが携帯通信端末を保持している場合にしか発熱しないので、例えば、放置状態にある携帯通信端末が発熱するような状態を防止できる。また、不要な発熱を抑えることによってバッテリの消費を抑えることもできる。
【００２７】
（２）発熱制御部は、発熱部の温度を測定する機能を含み（例えば、発熱制御部１１０が、サーミスタを利用する等の既知の手段を用いて、発熱部１１１の温度を測定することで実現される。）、測定した発熱部の温度が、記憶部に格納されている異常温度を示す設定範囲に含まれる場合には、発熱部に電力の供給を停止する（例えば、ステップＳ１０５の処理で実現される。）携帯通信端末。このように構成された携帯通信端末では、発熱部が過度の加熱状態になることを防止できる。
【００２８】
（３）折り畳み時に露出する第１の筐体の一部および第２の筐体の一部に発熱部が設けられている携帯通信端末（例えば、上部筐体１２１および下部筐体１２２の両方に発熱部１１１を設けることによって実現される。）。
【００２９】
（４）発熱部と回路基板または表示部との間に断熱材が設けられている携帯通信端末（例えば、発熱部と表示部１０７のＬＣＤとの間に断熱材を入れることによって実現される。）。
【符号の説明】
【００３０】
１      携帯通信端末
２      発熱部
３      記憶部
４      状態検出部
５      発熱制御部
１００  携帯通信端末
１０１  無線通信部
１０２  放送受信部
１０３  カメラ部
１０４  音声処理部
１０５  マイクロフォン
１０６  スピーカ
１０７  表示部
１０８  操作部
１０９  状態検出部
１１０  発熱制御部
１１１  発熱部
１１２  スピーカ部
１１３  記憶部
１１４  制御部
１１５  センサ
１１６  バッテリ
１２１  上部筐体
１２２  下部筐体
【図１】
2010251924.tif 000003
【図２】
2010251924.tif 000004
【図３】
2010251924.tif 000005
【図４】
2010251924.tif 000006